【手続補正書】
【提出日】平成17年1月28日(2005.1.28)
【手続補正１】
【補正対象書類名】明細書
【補正対象項目名】請求項１
【補正方法】変更
【補正の内容】
【請求項１】
サーバからダウンロードする携帯電話の着信メロディを編集するためのシステムであって、
前記サーバは、
前記携帯電話にデータを送信するデータ送信手段と、
前記携帯電話から着信メロディのダウンロード要求があったとき、予め準備された複数の着信メロディデータの中から対応する着信メロディデータを選択し、当該選択した着信メロディデータを前記データ送信手段に与えてダウンロード要求を発した携帯電話へ送信させる着信メロディデータ選択手段とを備え、
前記携帯電話は、
前記サーバから送信されてくるデータを受信するデータ受信手段と、
前記データ受信手段が受信した前記着信メロディデータを再生しながら、ユーザの指示に従って、着信メロディの演奏開始位置を決定する開始位置決定手段と、
前記開始位置決定手段によって決定された着信メロディの演奏開始位置を前記サーバに通知する通知手段とを備え、
前記サーバは、前記携帯電話の前記通知手段から着信メロディの演奏開始位置を受け取ったとき、当該着信メロディの演奏開始位置から着信メロディの演奏が可能となるように、対応する着信メロディデータを編集して新たな着信メロディデータを作成し、当該作成した新たな着信メロディデータを前記データ送信手段に与えて前記携帯電話へ送信させる編集手段をさらに備え、
前記携帯電話は、前記データ受信手段が受信した前記新たな着信メロディデータを格納する格納手段をさらに備える、着信メロディ編集システム。
【手続補正２】
【補正対象書類名】明細書
【補正対象項目名】請求項３
【補正方法】変更
【補正の内容】
【請求項３】
前記着信メロディデータは、複数のブロックに分割されており、
前記開始位置決定手段は、ユーザの指示があったときに再生しているブロックの先頭位置を前記着信メロディの演奏開始位置として決定することを特徴とする、請求項１に記載の着信メロディ編集システム。
【手続補正３】
【補正対象書類名】明細書
【補正対象項目名】請求項１０
【補正方法】変更
【補正の内容】
【請求項１０】
サーバからダウンロードする携帯電話の着信メロディを編集するためのシステムであって、
前記サーバは、
前記携帯電話にデータを送信するデータ送信手段と、
前記携帯電話から着信メロディのダウンロード要求があったとき、予め準備された複数の着信メロディデータの中から対応する着信メロディデータを選択し、当該選択した着信メロディデータを前記データ送信手段に与えてダウンロード要求を発した携帯電話へ送信させる着信メロディデータ選択手段とを備え、
前記携帯電話は、
前記サーバから送信されてくる着信メロディデータを受信するデータ受信手段と、
前記データ受信手段が受信した前記着信メロディデータを再生しながら、ユーザの指示に従って、着信メロディの演奏開始位置を決定する開始位置決定手段と、
前記着信メロディの演奏開始位置から着信メロディの演奏が可能となるように、着信メロディデータを編集して、新たな着信メロディデータを作成する編集手段と、
前記編集手段が作成した前記新たな着信メロディデータを格納する格納手段とを備える、着信メロディ編集システム。
【手続補正４】
【補正対象書類名】明細書
【補正対象項目名】請求項１１
【補正方法】変更
【補正の内容】
【請求項１１】
携帯電話がダウンロードする着信メロディを編集するためのサーバであって、
前記携帯電話にデータを送信するデータ送信手段と、
前記携帯電話から着信メロディのダウンロード要求があったとき、予め準備された複数の着信メロディデータの中から対応する着信メロディデータを選択し、当該選択した着信メロディデータを前記データ送信手段に与えてダウンロード要求を発した携帯電話へ送信させる着信メロディデータ選択手段とを備え、
前記携帯電話は、前記サーバから送信されてくる前記着信メロディデータを用いて、ユーザの指示に従って、着信メロディの演奏開始位置を決定して、前記サーバに通知し、
前記サーバは、前記携帯電話から通知される着信メロディの演奏開始位置を受け取ったとき、当該着信メロディの演奏開始位置から着信メロディの演奏が可能となるように、対応する着信メロディデータを編集して新たな着信メロディデータを作成し、当該作成した新たな着信メロディデータを前記データ送信手段に与えて前記携帯電話へ送信させる編集手段をさらに備える、サーバ。
【手続補正５】
【補正対象書類名】明細書
【補正対象項目名】請求項１３
【補正方法】変更
【補正の内容】
【請求項１３】
サーバからダウンロードする携帯電話の着信メロディを編集するときに前記携帯電話で実行されるプログラムであって、
前記サーバから送信されてくる携帯電話が所望する着信メロディデータを受信するデータ受信ステップと、
前記データ受信ステップで受信した前記着信メロディデータを再生しながら、ユーザの指示に従って、着信メロディの演奏開始位置を決定する開始位置決定ステップと、
前記着信メロディの演奏開始位置から着信メロディの演奏が可能となるように、着信メロディデータを編集して、新たな着信メロディデータを作成する編集ステップと、
前記編集ステップで作成された新たな着信メロディデータを格納する格納ステップとを備える、着信メロディ編集プログラム。
【手続補正６】
【補正対象書類名】明細書
【補正対象項目名】０００７
【補正方法】変更
【補正の内容】
【０００７】
【課題を解決するための手段および発明の効果】
第１の発明は、サーバからダウンロードする携帯電話の着信メロディを編集するためのシステムであって、
サーバは、
携帯電話にデータを送信するデータ送信手段と、
携帯電話から着信メロディのダウンロード要求があったとき、予め準備された複数の着信メロディデータの中から対応する着信メロディデータを選択し、当該選択した着信メロディデータをデータ送信手段に与えてダウンロード要求を発した携帯電話に対して送信させる着信メロディデータ選択手段とを備え、
携帯電話は、
サーバから送信されてくるデータを受信するデータ受信手段と、
データ受信手段が受信した着信メロディデータを再生しながら、ユーザの指示に従って、着信メロディの演奏開始位置を決定する開始位置決定手段と、
開始位置決定手段によって決定された着信メロディの演奏開始位置をサーバに通知する通知手段とを備え、
サーバは、携帯電話の通知手段から着信メロディの演奏開始位置を受け取ったとき、当該着信メロディの演奏開始位置から着信メロディの演奏が可能となるように、対応する着信メロディデータを編集して新たな着信メロディデータを作成し、当該作成した新たな着信メロディデータをデータ送信手段に与えて携帯電話に送信させる編集手段をさらに備え、
携帯電話は、データ受信手段が受信した新たな着信メロディデータを格納する格納手段をさらに備える。
【手続補正７】
【補正対象書類名】明細書
【補正対象項目名】０００８
【補正方法】変更
【補正の内容】
【０００８】
上記のように第１の発明によれば、サーバが、着信メロディデータを携帯電話の要求に応じて編集するので、ユーザが、任意の演奏開始位置から着信メロディを携帯電話に演奏させることが可能となる。また、サーバは、着信メロディデータを編集して、任意の演奏開始位置を有する新たな着信メロディデータを作成することができるので、サーバは、当該着信メロディデータのみを保有していればよい。その結果、サーバは、予めさまざまな着信メロディの演奏開始位置を有する新たな着信メロディデータを保有する必要がなくなり、サーバにおけるデータの管理が容易になる。
【手続補正８】
【補正対象書類名】明細書
【補正対象項目名】００１０
【補正方法】変更
【補正の内容】
【００１０】
上記のように第２の発明によれば、新たな着信メロディデータは、サーバに格納された着信メロディデータのデータ配置を編集するという簡単な処理で作成されている。従って、新規に上記新たな着信メロディデータが作成される場合に比べて、容易かつ迅速に当該新たな着信メロディデータが作成可能となる。
【手続補正９】
【補正対象書類名】明細書
【補正対象項目名】００１１
【補正方法】変更
【補正の内容】
【００１１】
第３の発明は、第１の発明に従属する発明であって、着信メロディデータは、複数のブロックに分割されており、
開始位置決定手段は、ユーザの指示があったときに再生しているブロックの先頭位置を着信メロディの演奏開始位置として決定することを特徴とする。
【手続補正１０】
【補正対象書類名】明細書
【補正対象項目名】００１２
【補正方法】変更
【補正の内容】
【００１２】
上記のように第３の発明によれば、ユーザの指示があったときに再生しているブロックの先頭位置が着信メロディの演奏位置として決定されるので、ユーザは、上記ブロックのメロディの一部を試聴した上で演奏開始位置を決定することができる。その結果、ユーザが、着信メロディの演奏開始位置を容易に設定することができるようになる。また、着信メロディデータが複数のブロックに分割されているので、当該分割された位置が着信メロディの演奏開始位置を示す情報として利用できる。これによって、サーバは、携帯電話から送信されてくる着信メロディの演奏開始位置に該当する着信メロディデータの位置を容易に特定できるようになる。
【手続補正１１】
【補正対象書類名】明細書
【補正対象項目名】００１６
【補正方法】変更
【補正の内容】
【００１６】
上記のように第５の発明によれば、新たな着信メロディデータは、既存の着信メロディデータの一部を抽出するという簡単な処理で作成されている。従って、新規に当該新たな着信メロディデータが作成される場合に比べて、容易かつ迅速に当該新たな着信メロディデータが作成可能となる。
【手続補正１２】
【補正対象書類名】明細書
【補正対象項目名】００１８
【補正方法】変更
【補正の内容】
【００１８】
上記のように第６の発明によれば、ユーザの指示があったときに再生しているブロックの先頭位置が着信メロディの演奏位置として決定され、同様にユーザの指示があったときに再生しているブロックの直前に再生していたブロックの最後尾位置が着信メロディの演奏位置として決定されるので、ユーザは、上記ブロックのメロディの一部を試聴した上で演奏開始位置および演奏終了位置を決定することができる。その結果、ユーザが、着信メロディの演奏開始位置および演奏終了位置を容易に設定することができるようになる。また、着信メロディデータが複数のブロックに分割されているので、当該分割された位置が着信メロディの演奏開始位置および演奏終了位置を示す情報として利用できる。これによって、サーバは、携帯電話から送信されてくる着信メロディの演奏開始位置および演奏終了位置に該当する着信メロディデータの位置を容易に特定できるようになる。
【手続補正１３】
【補正対象書類名】明細書
【補正対象項目名】００１９
【補正方法】変更
【補正の内容】
【００１９】
第７の発明は、第４の発明に従属する発明であって、開始位置決定手段は、着信メロディの演奏開始位置を複数箇所決定し、
終了位置決定手段は、複数箇所決定された着信メロディの演奏開始位置のそれぞれに対応する着信メロディの演奏終了位置を決定し、
通知手段は、着信メロディの演奏開始位置と着信メロディの演奏終了位置とを対応させた状態でサーバに通知し、
編集手段は、対応する着信メロディの演奏開始位置と着信メロディの演奏終了位置との間に該当する複数の着信メロディを連続して演奏できるように、新たな着信メロディデータを作成することを特徴とする。
【手続補正１４】
【補正対象書類名】明細書
【補正対象項目名】００２５
【補正方法】変更
【補正の内容】
【００２５】
第１０の発明は、サーバからダウンロードする携帯電話の着信メロディを編集するためのシステムであって、
サーバは、
携帯電話にデータを送信するデータ送信手段と、
携帯電話から着信メロディのダウンロード要求があったとき、予め準備された複数の着信メロディデータの中から対応する着信メロディデータを選択し、当該選択した着信メロディデータをデータ送信手段に与えてダウンロード要求を発した携帯電話へ送信させる着信メロディデータ選択手段とを備え、
携帯電話は、
サーバから送信されてくる着信メロディデータを受信するデータ受信手段と、
データ受信手段が受信した着信メロディデータを再生しながら、ユーザの指示に従って、着信メロディの演奏開始位置を決定する開始位置決定手段と、
着信メロディの演奏開始位置から着信メロディの演奏が可能となるように、着信メロディデータを編集して、新たな着信メロディデータを作成する編集手段と、
編集手段が作成した新たな着信メロディデータを格納する格納手段とを備える。
【手続補正１５】
【補正対象書類名】明細書
【補正対象項目名】００２７
【補正方法】変更
【補正の内容】
【００２７】
第１１の発明は、携帯電話がダウンロードする着信メロディを編集するためのサーバであって、
携帯電話にデータを送信するデータ送信手段と、
携帯電話から着信メロディのダウンロード要求があったとき、予め準備された複数の着信メロディデータの中から対応する着信メロディデータを選択し、当該選択した着信メロディデータをデータ送信手段に与えてダウンロード要求を発した携帯電話へ送信させる着信メロディデータ選択手段とを備え、
携帯電話は、サーバから送信されてくる着信メロディデータを用いて、ユーザの指示に従って、着信メロディの演奏開始位置を決定して、サーバに通知し、
サーバは、携帯電話から通知される着信メロディの演奏開始位置を受け取ったとき、当該着信メロディの演奏開始位置から着信メロディの演奏が可能となるように、対応する着信メロディデータを編集して新たな着信メロディデータを作成し、当該作成した新たな着信メロディデータをデータ送信手段に与えて携帯電話へ送信させる編集手段をさらに備える。
【手続補正１６】
【補正対象書類名】明細書
【補正対象項目名】００２８
【補正方法】変更
【補正の内容】
【００２８】
上記のように第１１の発明によれば、サーバが、着信メロディデータを携帯電話の要求に応じて編集するので、ユーザが、任意の演奏開始位置から着信メロディを携帯電話に演奏させることが可能となる。また、サーバは、着信メロディデータを編集して、任意の演奏開始位置を有する新たな着信メロディデータを作成することができるので、サーバは、当該着信メロディデータのみを保有していればよい。その結果、サーバは、予めさまざまな着信メロディの演奏開始位置を有する新たな着信メロディデータを保有する必要がなくなり、サーバにおけるデータの管理が容易になる。
【手続補正１７】
【補正対象書類名】明細書
【補正対象項目名】００３０
【補正方法】変更
【補正の内容】
【００３０】
上記のように第１２の発明によれば、サーバが、着信メロディデータを携帯電話の要求に応じて編集するので、ユーザが、任意の演奏開始位置から着信メロディを携帯電話に演奏させることが可能となる。また、サーバは、着信メロディデータを編集して、任意の演奏開始位置を有する新たな着信メロディデータを作成することができるので、サーバは、当該着信メロディデータのみを保有していればよい。その結果、サーバは、予めさまざまな着信メロディの演奏開始位置を有する新たな着信メロディデータを保有する必要がなくなり、サーバにおけるデータの管理が容易になる。
【手続補正１８】
【補正対象書類名】明細書
【補正対象項目名】００３１
【補正方法】変更
【補正の内容】
【００３１】
第１３の発明は、サーバからダウンロードする携帯電話の着信メロディを編集するときに携帯電話で実行されるプログラムであって、
サーバから送信されてくる携帯電話が所望する着信メロディデータを受信するデータ受信ステップと、
データ受信ステップで受信した着信メロディデータを再生しながら、ユーザの指示に従って、着信メロディの演奏開始位置を決定する開始位置決定ステップと、
着信メロディの演奏開始位置から着信メロディの演奏が可能となるように、着信メロディデータを編集して、新たな着信メロディデータを作成する編集ステップと、
編集ステップで作成された新たな着信メロディデータを格納する格納ステップとを備える。
【手続補正１９】
【補正対象書類名】明細書
【補正対象項目名】００３８
【補正方法】変更
【補正の内容】
【００３８】
上記のように第１６の発明によれば、分割した各ブロックのそれぞれにファイル名が付されるので、当該ファイル名を着信メロディの編集に用いることが可能となる。より具体的には、着信メロディの演奏開始位置が携帯電話で決定された場合に、当該携帯電話は、演奏開始位置の情報として上記ブロックのファイル名をサーバに送信する。当該ファイル名を受信したサーバは、当該ファイル名のブロックの先頭位置が演奏開始位置であると認識し、当該演奏開始位置に従って、着信メロディを編集することが可能となる。
【手続補正２０】
【補正対象書類名】明細書
【補正対象項目名】００４３
【補正方法】変更
【補正の内容】
【００４３】
【発明の実施の形態】
（第１の実施形態）以下に、本発明の第１の実施形態について図面を参照しながら説明する。図１は、本発明の第１の実施形態にかかる着信メロディ編集システムの構成を示した図である。当該着信メロディ編集システムは、データ作成装置１とサーバ２とユーザ端末３とを備える。当該着信メロディ編集システムは、ユーザ端末３で指定された場所から着信メロディが演奏されるように、サーバ２が編集用の着信メロディデータ（以下、編集用着信メロディデータと称す）を編集し、当該編集された着信メロディデータ（以下、編集着信メロディデータと称す）をユーザ端末３に送信するシステムである。データ作成装置１は、コンピュータによって実現され、予め準備されたＭＩＤＩ（Ｍｕｓｉｃａｌ  Ｉｎｓｔｒｕｍｅｎｔｓ  Ｄｉｇｉｔａｌ  Ｉｎｔｅｒｆａｃｅ）ファイルに基づいて、携帯電話で再生可能な編集用着信メロディデータを作成する。サーバ２は、コンピュータによって実現され、データ作成装置１が作成した編集用着信メロディデータを記憶している。ユーザ端末３は、携帯電話によって実現され、ユーザが所望する編集用着信メロディデータをインターネットを介してダウンロードする。更に、ユーザ端末３は、ダウンロードした編集用着信メロディデータを用いて、ユーザの指示に応じて演奏開始位置を決定し、当該演奏開始位置のデータをサーバ２に送信する。サーバ２は、受信した演奏開始位置のデータに基づいて、編集着信メロディデータを作成して、これをユーザ端末３に送信する。これにより、ユーザ端末３は、編集着信メロディデータを取得することができる。以上のように構成された着信メロディ編集システムの詳細について、以下に説明する。
【手続補正２１】
【補正対象書類名】明細書
【補正対象項目名】００４４
【補正方法】変更
【補正の内容】
【００４４】
図２は、データ作成装置１の詳細を示した図である。当該データ作成装置１は、作成装置制御部１００、作成装置表示部１０３、作成装置入力部１０５、ＭＩＤＩファイル記憶部１１０および作成装置送信部１１５を備える。ＭＩＤＩファイル記憶部１１０は、編集用着信メロディデータを作成するときに利用される楽曲のＭＩＤＩファイルを格納している。作成装置表示部１０３は、当該データ作成装置１の管理者に対して、視覚的に情報を提供する役割を果たす。作成装置入力部１０５では、作成される編集用着信メロディデータの楽曲名および当該編集用着信メロディデータの作成条件が、当該管理者によって入力される。ここで、作成条件とは、作成する編集用着信メロディデータが用いられる携帯電話の機種および編集用着信メロディデータの演奏開始位置としてユーザが選択可能な位置（以下、選択可能演奏開始位置と称す）を示す情報である。作成条件として携帯電話の機種が入力される理由は、携帯電話の機種により編集用着信メロディデータのデータ形式が異なるからである。作成装置制御部１００は、例えばＣＰＵによって実現され、作成装置入力部１０５から出力される楽曲名および作成条件の情報に基づいて、編集用着信メロディデータを作成する。作成装置送信部１１５は、編集用着信メロディデータをサーバ２に送信する。
【手続補正２２】
【補正対象書類名】明細書
【補正対象項目名】００４６
【補正方法】変更
【補正の内容】
【００４６】
図３は、編集用着信メロディデータ作成処理時にデータ作成装置１が行う動作を示したフローチャートである。編集用着信メロディデータ作成処理とは、データ作成装置１が、作成装置入力部１０５の指示に従って、編集用着信メロディデータを作成して、サーバ２に送信する処理である。
【手続補正２３】
【補正対象書類名】明細書
【補正対象項目名】００４９
【補正方法】変更
【補正の内容】
【００４９】
一方、ＭＩＤＩファイルが格納されている場合には、作成装置制御部１００は、作成条件を入力するための画面（以下、作成条件入力画面と称す）を作成して、作成装置表示部１０３にこれを表示させる。当該作成条件入力画面には、携帯電話の機種名を入力する欄と、ＭＩＤＩファイルの楽曲の楽譜とが含まれている。管理者は、作成装置入力部１０５を用いて、作成条件を入力する（ステップＳ２５）。具体的には、管理者は、作成する編集用着信メロディデータが用いられる携帯電話の機種を入力し、選択可能演奏開始位置を当該作成条件入力画面の楽譜上で設定する。当該作成条件は、作成装置制御部１００に出力される。次に、作成装置制御部１００は、取得した作成条件とＭＩＤＩファイルとに基づいて、図４（ｂ）に示される編集用着信メロディデータ１５４を作成する（ステップＳ３０）。
【手続補正２４】
【補正対象書類名】明細書
【補正対象項目名】００６６
【補正方法】変更
【補正の内容】
【００６６】
次に、サーバ制御部２００は、取得した着信メロディの楽曲名およびユーザ端末３の機種名に該当する楽曲名データ１５１および機種名データ１５２を有する編集用着信メロディデータ１５４が存在するか否かを、サーバ着信メロディ記憶部２１０を参照して判定する（ステップＳ２１０）。編集用着信メロディデータ１５４が存在しないと判定された場合には、本処理はステップＳ２１５に進む。一方、編集用着信メロディデータ１５４が存在すると判定された場合には、本処理はステップＳ２２０に進む。
【手続補正２５】
【補正対象書類名】明細書
【補正対象項目名】００７０
【補正方法】変更
【補正の内容】
【００７０】
まず、端末制御部３００は、端末プログラム記憶部３２０に格納されている編集用プログラムを起動する（ステップＳ３００）。応じて、端末表示部３１０には、図１１に示される着信メロディの編集用の画面（以下、編集用画面と称す）が表示される（ステップＳ３０５）。
【手続補正２６】
【補正対象書類名】明細書
【補正対象項目名】００７１
【補正方法】変更
【補正の内容】
【００７１】
ここで、図１１に示される編集用画面の詳細について説明する。当該編集用画面は、編集する編集用着信メロディデータ１５４の楽曲名、アーティスト名、編集用グラフ４００、演奏位置表示矢印４０５、演奏開始位置表示矢印４１０および操作表示部４１５を備える。編集用グラフ４００の長さは、着信メロディの長さを示しており、編集用グラフ４００に含まれる縦線は、ユーザが演奏開始位置として選択することができる選択可能演奏開始位置を示している。演奏位置表示矢印４０５は、演奏部３３０が着信メロディのどの部分を演奏しているのかを示すための矢印である。演奏開始位置表示矢印４１０は、ユーザが演奏開始位置として選択した位置を示す矢印である。操作表示部４１５は、操作方法を示す部分である。より具体的には、ユーザ端末３の５のキーをユーザが押せば、着信メロディが演奏される。ユーザ端末３の６のキーをユーザが押せば、着信メロディが早送りされる。ユーザ端末３の４のキーをユーザが押せば、着信メロディが巻き戻しされる。ユーザ端末３の８のキーをユーザが押せば、着信メロディの演奏が停止される。ユーザ端末３の１のキーを押せば、着信メロディの演奏開始位置が決定される。
【手続補正２７】
【補正対象書類名】明細書
【補正対象項目名】００７６
【補正方法】変更
【補正の内容】
【００７６】
まず、サーバ送受信部２２０は、ユーザ端末３から送信されてきた編集条件を受信し、サーバ制御部２００に出力する。これにより、サーバ制御部２００は、編集条件を取得する（ステップＳ３５０）。ここでは、当該編集条件は、第３のメロディデータ１６５のファイル名である。次に、サーバ制御部２００は、取得した編集条件に基づいて、図４（ｂ）に示される編集用着信メロディデータ１５４を図６に示される編集着信メロディデータ２５０に編集する（ステップＳ３５５）。より具体的には、第３のメロディデータ１６５のファイル名を編集条件として取得したサーバ制御部２００は、第１のメロディデータ１５５および第２のメロディデータ１６０を第５のメロディデータ１７５の後ろに配置し、各データを連結する。編集着信メロディデータ２５０は、各データが連結されるので、編集用着信メロディデータ１５４のようなデータ群ではなく一つのデータである。従って、当該編集着信メロディデータ２５０は、通常の携帯電話で演奏されることが可能である。編集着信メロディデータ２５０を編集したサーバ制御部２００は、当該編集着信メロディデータ２５０を、サーバ送受信部２２０にユーザ端末３へ送信させる（ステップＳ３６０）。応じて、ユーザ端末３は、端末送受信部３０５で当該編集着信メロディデータ２５０を受信し、編集着信メロディ記憶部３３５に格納する。これにより、ユーザ端末３は、編集着信メロディデータ２５０を取得することができ、また、これを利用することが可能となる。なお、当該編集着信メロディデータ２５０が着信メロディとして設定された場合には、ユーザ端末３は、着信時に第３のメロディデータ１６５、第４のメロディデータ１７０、第５のメロディデータ１７５、第１のメロディデータ１５５および第２のメロディデータ１６０の順に演奏し、メロディデータの演奏が一巡すると再び第３のメロディデータ１６５を演奏する。以上で、編集用着信メロディデータ編集処理の説明を終了する。
【手続補正２８】
【補正対象書類名】明細書
【補正対象項目名】００７７
【補正方法】変更
【補正の内容】
【００７７】
以上のように、本実施形態によれば、予めさまざまな演奏開始位置の着信メロディのデータをサーバ２が保有しておく必要がなく、サーバ２における着信メロディのデータの管理が容易になる。更に、ＭＩＤＩファイル等に基づいて、選択可能演奏開始位置を設定するだけで、さまざまな演奏開始位置を有する編集着信メロディデータ２５０が編集可能となるので、予めさまざまな演奏開始位置の編集用着信メロディデータ１５４をサーバ２が保有する場合に比べて、容易に多数の選択可能演奏開始位置を設定することが可能となる。その結果、演奏開始位置にバリエーションを持たせることが容易になり、ユーザは、好みの位置から着信メロディの演奏を開始させることが可能となる。
【手続補正２９】
【補正対象書類名】明細書
【補正対象項目名】００７８
【補正方法】変更
【補正の内容】
【００７８】
なお、本実施形態では、演奏開始位置のみが設定されて、編集着信メロディデータ２５０が作成される形式をとっているが、編集着信メロディデータを作成する形式はこれに限られない。例えば、編集用着信メロディデータの一部のみを抽出して編集着信メロディデータが作成されてもよい。より具体的には、第２のメロディデータ１６０および第３のメロディデータ１６５が抽出されて、図１３に示されるような編集着信メロディデータ４２５が作成されるようにしてもよい。なお、この場合には、ユーザ端末３は、上記編集条件入力処理時に演奏開始位置を設定することに加えて、演奏終了位置も設定しなければならない。従って、図１１の編集用画面は、図１４に示されるものになる。より具体的には、図１４の編集用画面は、編集する編集用着信メロディデータの曲名、アーティスト名、編集用グラフ４００、演奏位置表示矢印４０５、演奏開始位置表示矢印４６０、演奏終了位置表示矢印４６５および操作表示部４７０を備える。編集する編集用着信メロディデータの曲名、アーティスト名、編集用グラフ４００、演奏位置表示矢印４０５および演奏開始位置表示矢印４６０は、図１１のものと同様であるため説明を省略する。ここで、操作表示部４７０は、演奏終了位置を決定するための表示を含んでいる。より具体的には、ユーザがユーザ端末３の２のキーを押せば、着信メロディの演奏終了位置が決定される。以下に、編集条件入力処理時において、演奏終了位置が決定される処理について説明する。ユーザがユーザ端末３の２のキーを押したときに再生されている分割されたメロディデータの直前に再生されていた分割されたメロディデータの最後の位置が、演奏終了位置として決定される。より具体的には、図１３に示される編集着信メロディデータ４２５では、第３のメロディデータ１６５の最後の位置が演奏終了位置とされている。この場合には、ユーザは、第４のメロディデータ１７０が演奏されている間に、演奏終了位置を決定するための２のキーを押す。これにより、第３のメロディデータ１６５の最後が演奏終了位置として決定される。以上で、演奏終了位置の決定処理についての説明を終了する。この後、ユーザ端末３は、当該演奏開始位置および当該演奏終了位置を編集条件としてサーバ２に送信する。このように、演奏開始位置および演奏終了位置が決定されることによって、図１３のような編集着信メロディデータ４２５が作成されることが可能となる。
【手続補正３０】
【補正対象書類名】明細書
【補正対象項目名】００７９
【補正方法】変更
【補正の内容】
【００７９】
また、編集着信メロディデータは、同一の編集用着信メロディデータの２箇所以上の部分が結合されて作成されてもよい。より具体的には、第２のメロディデータ１６０、第３のメロディデータ１６５および第５のメロディデータ１７５が抽出されて、図１５に示されるような編集着信メロディデータ４８０が作成されてもよい。
【手続補正３１】
【補正対象書類名】明細書
【補正対象項目名】００８１
【補正方法】変更
【補正の内容】
【００８１】
まず、本実施形態にかかる着信メロディ編集システムの構成は、第１の実施形態において図１で示されたそれと同様であるため説明を省略する。また、データ作成装置１、サーバ２およびユーザ端末３の詳細な構成は、第１の実施形態の図２、図５および図７で示したものと同様であるため説明を省略する。更に、本実施形態にかかるデータ作成装置１が行う編集用着信メロディデータ作成処理も、第１の実施形態の図３で示されたフローチャートと同様であるため説明を省略する。更に、本実施形態にかかるサーバ２およびユーザ端末３が行うプログラム配信処理も、第１の実施形態の図８のフローチャートと同様であるため説明を省略する。
【手続補正３２】
【補正対象書類名】明細書
【補正対象項目名】００８２
【補正方法】変更
【補正の内容】
【００８２】
以下に、本実施形態にかかる編集用着信メロディデータダウンロード処理について、図面を参照しながら説明する。本実施形態にかかる編集用着信メロディデータダウンロード処理は、第１の編集用着信メロディデータ５００および第２の編集用着信メロディデータ５４０がユーザ端末３に対して送信される点で、第１の実施形態の編集用着信メロディデータダウンロード処理と異なる。図１７は、当該編集用着信メロディデータダウンロード処理時に、サーバ２が行う動作を示したフローチャートである。
【手続補正３３】
【補正対象書類名】明細書
【補正対象項目名】００８３
【補正方法】変更
【補正の内容】
【００８３】
まず、サーバ制御部２００は、ユーザ端末３がダウンロードする編集用着信メロディデータの楽曲名およびユーザ端末３の機種名をユーザに入力させるためのＷｅｂページ（以下、着信メロディ選択画面と称す）を作成し、サーバ送受信部２２０を介してユーザ端末３に送信する（ステップＳ４００）。なお、本実施形態にかかる着信メロディ選択画面は、第１の編集用着信メロディデータ５００の楽曲名、第２の編集用着信メロディデータ５４０の楽曲名およびユーザ端末３の機種名を入力することができる。これは、編集用着信メロディデータ編集時に、２つの編集用着信メロディデータが使用されるからである。応じて、端末送受信部３０５は、当該着信メロディ選択画面を受信する。その後、当該着信メロディ選択画面は、端末表示部３１０に表示される。
【手続補正３４】
【補正対象書類名】明細書
【補正対象項目名】００８４
【補正方法】変更
【補正の内容】
【００８４】
ユーザは、端末入力部３１５を用いて、当該着信メロディ選択画面上で所望する第１の着信メロディの楽曲名、第２の着信メロディの楽曲名およびユーザ端末３の機種名を入力する。第１の着信メロディの楽曲名、第２の着信メロディの楽曲名およびユーザ端末３の機種名が入力されたら、ユーザ端末３は、端末送受信部３０５を介して、サーバ２に当該第１の着信メロディ、第２の着信メロディの楽曲名およびユーザ端末３の機種名を送信する。応じて、サーバ送受信部２２０は、当該第１の着信メロディの楽曲名、第２の着信メロディの楽曲名およびユーザ端末３の機種名を受信し、これらをサーバ制御部２００に出力する。これにより、サーバ制御部２００は、第１の着信メロディの楽曲名、第２の着信メロディの楽曲名およびユーザ端末３の機種名を取得する（ステップＳ４０５）。
【手続補正３５】
【補正対象書類名】明細書
【補正対象項目名】００８８
【補正方法】変更
【補正の内容】
【００８８】
第１の編集用着信メロディデータ５００の送信が完了すると、サーバ制御部２００は、第２の編集用着信メロディデータ５４０を、サーバ送受信部２２０を介してユーザ端末３に送信する（ステップＳ４２５）。応じて、ユーザ端末３は、当該第２の編集用着信メロディデータ５４０を端末送受信部３０５で受信し、端末着信メロディ記憶部３２５に格納する。以上で、本実施形態にかかる編集用着信メロディデータダウンロード処理の説明を終了する。この後、ユーザ端末３において、第１の編集用着信メロディデータ５００および第２の編集用着信メロディデータ５４０の編集条件入力処理が行われる。
【手続補正３６】
【補正対象書類名】明細書
【補正対象項目名】００８９
【補正方法】変更
【補正の内容】
【００８９】
ここで、編集条件入力処理時にユーザ端末３が行う動作について、図面を参照しながら説明する。図１８は、本実施形態における編集条件入力処理時にユーザ端末が行う動作を示したフローチャートである。なお、本実施形態における編集条件とは、第１の着信メロディおよび第２の着信メロディそれぞれの演奏開始位置および演奏終了位置を示す情報である。より具体的には、例えばユーザが第７のメロディデータ５２０の最初から第１の着信メロディの演奏を開始したい場合には、第７のメロディデータ５２０のファイル名が当該第１の着信メロディの演奏開始位置の情報に該当する。同様に、ユーザが第８のメロディデータ５２５の最後で第１の着信メロディの演奏を終了したい場合には、第９のメロディデータ５３０のファイル名が当該第１の着信メロディの演奏終了位置の情報に該当する。同様に、ユーザが第１３のメロディデータ５６５の最初から第２の着信メロディの演奏を開始したい場合には、第１３のメロディデータ５６５のファイル名が当該第２の着信メロディの演奏開始位置の情報に該当する。同様に、ユーザが第１４のメロディデータ５７０の最後で演奏を終了したい場合には、第１５のメロディデータ５７５のファイル名が当該第２の着信メロディの演奏終了位置の情報に該当する。
【手続補正３７】
【補正対象書類名】明細書
【補正対象項目名】００９０
【補正方法】変更
【補正の内容】
【００９０】
まず、端末制御部３００は、端末プログラム記憶部３２０に格納されている編集用プログラムを起動する（ステップＳ５００）。応じて、端末表示部３１０には、図１９に示される着信メロディの編集用画面が表示される（ステップＳ５０５）。
【手続補正３８】
【補正対象書類名】明細書
【補正対象項目名】００９３
【補正方法】変更
【補正の内容】
【００９３】
演奏部３３０が第１の着信メロディを演奏している間、編集用画面の第１の演奏位置表示矢印６０５は、演奏の進行に応じて左から右へと移動する。ユーザは、第１の演奏開始位置に設定したい分割された着信メロディデータの場所に第１の演奏位置表示矢印６０５が到達すると、端末入力部３１５の１のキーを押して第１の演奏開始位置を決定する（ステップＳ５１５）。具体的には、例えば第７のメロディデータ５２０の最初から第１の着信メロディの演奏を開始したい場合、演奏部３３０が第７のメロディデータ５２０を演奏しているときに、ユーザは、端末入力部３１５の１のキーを押して第１の演奏開始位置を決定する。応じて、編集用画面の第１の編集用グラフ６００に、第１の演奏開始位置表示矢印６１０が表示される。次に、ユーザは、第１の演奏終了位置に設定したい分割された着信メロディデータの次に位置する分割された着信メロディデータの場所に第１の演奏位置表示矢印６０５が到達すると、端末入力部３１５の２のキーを押して第１の演奏終了位置を決定する（ステップＳ５２０）。具体的には、例えば第８のメロディデータ５２５の最後で第１の着信メロディデータの演奏を終了したい場合、演奏部３３０が第９のメロディデータ５３０を演奏しているときに、ユーザは、端末入力部３１５の２のキーを押して第１の演奏終了位置を決定する。応じて、編集用画面の第１の編集用グラフ６００に、第１の演奏終了位置表示矢印６１５が表示される。この後、第１の着信メロディが最後まで演奏されると、端末制御部３００は、演奏部３３０に第２の編集用着信メロディデータ５４０に基づいて第２の着信メロディを演奏させる（ステップＳ５２５）。この後、第２の演奏開始位置および第２の演奏終了位置が設定される（ステップＳ５３０およびステップＳ５３５）が、これらの処理は、ステップＳ５１５およびステップＳ５２０と同様であるため説明を省略する。
【手続補正３９】
【補正対象書類名】明細書
【補正対象項目名】００９４
【補正方法】変更
【補正の内容】
【００９４】
第２の着信メロディが最後まで演奏されると、端末制御部３００は、編集条件入力処理を終了するか否かをユーザに決定させる画面を作成し、これを端末表示部３１０に表示させる（ステップＳ５４０）。編集条件入力処理を終了しない場合、本処理はステップＳ５０５に戻る。一方、編集条件入力処理を終了する場合、端末制御部３００は、当該編集条件を、端末送受信部３０５にサーバ２へ送信させる（ステップＳ５４５）。以上で、本実施形態にかかる編集条件入力処理の説明を終了する。
【手続補正４０】
【補正対象書類名】明細書
【補正対象項目名】００９６
【補正方法】変更
【補正の内容】
【００９６】
まず、サーバ送受信部２２０は、ユーザ端末３から送信されてくる編集条件を受信し、サーバ制御部２００に出力する。これにより、サーバ制御部２００は、編集条件を取得する（ステップＳ５５０）。次に、サーバ制御部２００は、取得した編集条件に基づいて、図１６（ａ）に示される第１の編集用着信メロディデータ５００と、図１６（ｂ）に示される第２の編集用着信メロディデータ５４０とを図１６（ｃ）に示される編集着信メロディデータ５８０に編集する（ステップＳ５５５）。編集着信メロディデータ５８０の作成処理の具体例として、第７のメロディデータ５２０の最初が第１の演奏開始位置に、第８のメロディデータ５２５の最後が第１の演奏終了位置に、第１３のメロディデータ５６５の最初が第２の演奏開始位置に、第１４のメロディデータ５７０の最後が第２の演奏終了位置に設定された場合について説明する。サーバ制御部２００は、第１の編集用着信メロディデータ５００から、第７のメロディデータ５２０および第８のメロディデータ５２５を抽出し、第２の編集用着信メロディデータ５４０から、第１３のメロディデータ５６５および第１４のメロディデータ５７０を抽出する。そして、サーバ制御部２００は、第３の楽曲名データ５８５を作成する。これは、二つの編集用着信メロディデータが組み合わせられて編集着信メロディデータ５８０が編集されるので、当該編集着信メロディデータ５８０の名前が新たに作成される必要があるからである。このとき、楽曲名は、サーバ制御部２００によって適当に決定される。サーバ制御部２００は、第３の楽曲名データ５８５、機種名データ５１０、第７のメロディデータ５２０、第８のメロディデータ５２５、第１３のメロディデータ５６５および第１４のメロディデータ５７０を、図１６（ｃ）に示されるように配置し、各データを連結する。これにより、本実施形態にかかる編集着信メロディデータ５８０が完成する。
【手続補正４１】
【補正対象書類名】明細書
【補正対象項目名】０１０１
【補正方法】変更
【補正の内容】
【０１０１】
データ作成装置１の構成は、第１の実施形態の図２に示されたものと同様であるので説明を省略する。本実施形態にかかるサーバ２は、第１の実施形態の図５に示されるものと同様であり、サーバ制御部２００、サーバ受信部２０５、サーバ着信メロディ記憶部２１０、サーバプログラム記憶部２１５およびサーバ送受信部２２０を備える。本実施形態にかかるサーバ受信部２０５、サーバ着信メロディ記憶部２１０、サーバプログラム記憶部２１５およびサーバ送受信部２２０は、第１の実施形態で示されたものと同様であるので説明を省略する。これに対して、本実施形態にかかるサーバ制御部２００が行う動作は、第１の実施形態のサーバ制御部２００が行う動作と異なる。より具体的には、第１の実施形態のサーバ制御部２００は、サーバ２全体の制御を行うのに加えて、編集着信メロディデータを編集するが、本実施形態にかかるサーバ制御部２００は、サーバ２全体の制御のみを行う。
【手続補正４２】
【補正対象書類名】明細書
【補正対象項目名】０１０５
【補正方法】変更
【補正の内容】
【０１０５】
それでは、以下に、本実施形態にかかる編集条件入力処理および編集用着信メロディデータ編集処理について、図面を参照しながら説明する。図２１は、本実施形態にかかる編集条件入力処理および編集用着信メロディデータ編集処理時にユーザ端末３が行う動作を示したフローチャートである。本実施形態にかかる編集用着信メロディデータ編集処理は、ユーザ端末３において編集着信メロディデータが編集される点で、第１の実施形態と異なる。なお、本実施形態で用いられる編集用着信メロディデータは、第１の実施形態と同様に図４（ｂ）に示されるものであり、本実施形態で作成される編集着信メロディデータは、第１の実施形態と同様に図６で示されるものである。
【手続補正４３】
【補正対象書類名】明細書
【補正対象項目名】０１０７
【補正方法】変更
【補正の内容】
【０１０７】
端末制御部３００は、入力された編集条件に基づいて、図４（ｂ）に示される編集用着信メロディデータ１５４を用いて、図６に示される編集着信メロディデータ２５０を作成する（ステップＳ６００）。なお、当該編集着信メロディデータの作成手順は、第１の実施形態の図１２のステップＳ３５５と同様であるので詳細な説明を省略する。次に、端末制御部３００は、当該編集着信メロディデータ２５０を編集着信メロディ記憶部３３５に格納する（ステップＳ６０５）。以上で、本実施形態にかかる編集条件入力処理および編集用着信メロディデータ編集処理の説明を終了する。
【手続補正４４】
【補正対象書類名】明細書
【補正対象項目名】０１１０
【補正方法】変更
【補正の内容】
【０１１０】
なお、本実施形態では、図６に示される編集着信メロディデータ２５０が作成される場合について記載したが、第１の実施形態のなお書きと同様に、編集用着信メロディデータの一部が抽出されて図１３に示される編集着信メロディデータ４２５が作成されるようにしてもよいし、同一の編集用着信メロディデータ１５４の２箇所以上が結合されて図１５に示される編集着信メロディデータ４８０が作成されてもよい。
【手続補正４５】
【補正対象書類名】明細書
【補正対象項目名】０１１１
【補正方法】変更
【補正の内容】
【０１１１】
（第４の実施形態）以下に、本発明の第４の実施形態について図面を参照しながら説明する。本実施形態にかかる着信メロディ編集システムの構成は、図１に示されるように、データ作成装置１、サーバ２およびユーザ端末３を備える。ここで、本実施形態にかかる着信メロディ編集システムでは、第３の実施形態にかかる着信メロディ編集システムと同様に、ユーザ端末３が編集着信メロディデータの作成を行う。従って、データ作成装置１、サーバ２およびユーザ端末３の詳細な構成は、第３の実施形態において図２、図５および図７を用いて説明したものと同様であるため説明を省略する。
【手続補正４６】
【補正対象書類名】明細書
【補正対象項目名】０１１４
【補正方法】変更
【補正の内容】
【０１１４】
それでは、以下に、本実施形態にかかる編集条件入力処理および編集用着信メロディデータ編集処理について、図面を参照しながら説明する。図２２は、本実施形態にかかる編集条件入力処理および編集用着信メロディデータ編集処理時にユーザ端末３が行う動作を示したフローチャートである。本実施形態にかかる編集用着信メロディデータ編集処理は、ユーザ端末３が、第１の編集用着信メロディデータ５００および第２の編集用着信メロディデータ５４０のそれぞれから抽出したメロディデータを結合して、編集着信メロディデータ５８０を作成する処理である。
【手続補正４７】
【補正対象書類名】明細書
【補正対象項目名】０１１６
【補正方法】変更
【補正の内容】
【０１１６】
上記ステップＳ７００において、端末制御部３００は、決定した編集条件に基づいて、第１の編集用着信メロディデータ５００および第２の編集用着信メロディデータ５４０を用いて、編集着信メロディデータ５８０を作成する（ステップＳ７００）。当該ステップＳ７００の詳細は、第２の実施形態の図２０に示されるステップＳ５５５と同様であるので説明を省略する。次に、端末制御部３００は、当該編集着信メロディデータ５８０を編集着信メロディ記憶部３３５に格納する。以上で、本実施形態にかかる編集条件入力処理および編集用着信メロディデータ編集処理の説明を終了する。
【手続補正４８】
【補正対象書類名】明細書
【補正対象項目名】図１４
【補正方法】変更
【補正の内容】
【図１４】
本発明の第１の実施形態にかかる編集用画面の構成のその他の例を示した図である。
【手続補正４９】
【補正対象書類名】明細書
【補正対象項目名】図１８
【補正方法】変更
【補正の内容】
【図１８】
本発明の第２の実施形態にかかる編集条件入力処理において、ユーザ端末が行う動作を示したフローチャートである。